(57)【要約】【課題】可能な限り組立・施行に係る作業を省略でき、容易かつ安価に建築可能なユニット型建物を提供する。【解決手段】小屋１１部分を垂直方向に分割した複数の小屋ユニット１６と、基礎３１部分を形成する複数の基礎ユニット３１ｃ、３１ｄと、を備え、前記複数の小屋ユニット１６及び前記複数の基礎ユニット３１ｃ、３１ｄは、予め工場で製作されて施工場所に運搬され、前記複数の基礎ユニット３１ｃ、３１ｄは、施工場所で端部が連結されて前記基礎３１部分を形成し、前記複数の基礎ユニット３１ｃ、３１ｄで形成された前記基礎３１部分の上に前記複数の小屋ユニット１６を接続した。【選択図】図１
2012057346.tif 000002
【特許請求の範囲】
【請求項１】
小屋部分を垂直方向に分割した複数の小屋ユニットと、
基礎部分を形成する複数の基礎ユニットと、
を備え、
前記複数の小屋ユニット及び前記複数の基礎ユニットは、予め工場で製作されて施工場所に運搬され、
前記複数の基礎ユニットは、施工場所で端部が連結されて前記基礎部分を形成し、
前記複数の基礎ユニットで形成された前記基礎部分の上に前記複数の小屋ユニットを接続したことを特徴とする、ユニット型建物。
【請求項２】
前記小屋部分の屋根は切妻屋根であり、
前記複数の小屋ユニットは、前記切妻屋根の棟に沿って前記小屋部分を２つに分割して構成されることを特徴とする、請求項１記載のユニット型建物。
【請求項３】
前記小屋ユニットは互いに対向する位置に梁を有し、この梁が結合されて前記小屋部分を形成することを特徴とする、請求項２記載のユニット型建物。
【請求項４】
前記複数の小屋ユニットは、接合面の位置がずれるように配置されていることを特徴とする、請求項１〜３のいずれかに記載のユニット型建物。
【請求項５】
前記複数の基礎ユニットは、底盤をなすベース部と、このベース部に一体形成された立ち上がり部と、を有し、
前記ベース部は施工場所の地盤面に埋設されて固定されるとともに、
前記立ち上がり部は側端部付近に連結部を備えており、隣接する連結部が相互に連結されることを特徴とする、請求項１〜４のいずれかに記載のユニット型建物。
【請求項６】
前記立ち上がり部の連結部には、先端が曲折した異形鉄筋が突出し、この異形鉄筋を覆うようにコンクリートを打設して前記複数の基礎ユニットを相互に連結したことを特徴とする、請求項１〜５のいずれかに記載のユニット型建物。
【発明の詳細な説明】
【技術分野】
【０００１】
この発明は、ユニット型建物に関し、特に、小屋部分を垂直方向に分割した複数の小屋ユニットを組み立てて形成されるユニット型建物に関するものである。
【背景技術】
【０００２】
従来、建物を容易かつ迅速に建築するために、１個の建物を複数のユニットに分割し、各ユニットを工場で生産した後、これらのユニットを建築現場に輸送し、建築現場において施工・組立するユニット型の建物が知られている。
【０００３】
例えば、特許文献１には、下階の部屋を構成する下階部屋ユニットを複数個相互に連結配置して下階部屋ユニット群を形成し、該下階部屋ユニット群の上部に上階の部屋を構成する上階部屋ユニットを載置してなるユニット建物が提案されている。
【先行技術文献】
【特許文献】
【０００４】
【特許文献１】特開平５−３４６０４０号公報
【発明の概要】
【発明が解決しようとする課題】
【０００５】
しかし、上記したような従来のユニット建物は、まだまだ建築現場において必要な作業が多いものであった。例えば、ユニットの組み合わせ方を計算する必要があり、また、屋根などを施工する必要もあるため、ユーザーが建築業者に依頼せずに自分で建築可能な程度に簡易な構造とはなっていなかった。
【０００６】
そこで、本発明は、可能な限り組立・施行に係る作業を省略でき、容易かつ安価に建築可能なユニット型建物を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のユニット型建物は、小屋部分を垂直方向に分割した複数の小屋ユニットと、基礎部分を形成する複数の基礎ユニットと、を備え、前記複数の小屋ユニット及び前記複数の基礎ユニットは、予め工場で製作されて施工場所に運搬され、前記複数の基礎ユニットは、施工場所で端部が連結されて前記基礎部分を形成し、前記複数の基礎ユニットで形成された前記基礎部分の上に前記複数の小屋ユニットを接続したことを特徴とする。
【００１０】
（請求項２）
請求項２に記載の発明は、上記した請求項１記載の発明の特徴点に加え、以下の点を特徴とする。
【００１１】
すなわち、前記小屋部分の屋根は切妻屋根であり、前記複数の小屋ユニットは、前記切妻屋根の棟に沿って前記小屋部分を２つに分割して構成されることを特徴とする。
【００１２】
（請求項３）
請求項３に記載の発明は、上記した請求項２記載の発明の特徴点に加え、以下の点を特徴とする。
【００１３】
すなわち、前記小屋ユニットは互いに対向する位置に梁を有し、この梁が結合されて前記小屋部分を形成することを特徴とする。
【００１４】
（請求項４）
請求項４に記載の発明は、上記した請求項１〜３のいずれかに記載の発明の特徴点に加え、以下の点を特徴とする。
【００１５】
すなわち、前記複数の小屋ユニットは、接合面の位置がずれるように配置されていることを特徴とする。
【００１６】
（請求項５）
請求項５に記載の発明は、上記した請求項１〜４のいずれかに記載の発明の特徴点に加え、以下の点を特徴とする。
【００１７】
すなわち、前記複数の基礎ユニットは、底盤をなすベース部と、このベース部に一体形成された立ち上がり部と、を有し、前記ベース部は施工場所の地盤面に埋設されて固定されるとともに、前記立ち上がり部は側端部付近に連結部を備えており、隣接する連結部が相互に連結されることを特徴とする。
【００１８】
（請求項６）
請求項６に記載の発明は、上記した請求項１〜５のいずれかに記載の発明の特徴点に加え、以下の点を特徴とする。
【００１９】
すなわち、前記立ち上がり部の連結部には、先端が曲折した異形鉄筋が突出し、この異形鉄筋を覆うようにコンクリートを打設して前記複数の基礎ユニットを相互に連結したことを特徴とする。
【発明の効果】
【００２０】
本発明は上記の通りであり、予め工場で製作されて施工場所に運搬された複数の小屋ユニット及び複数の基礎ユニットを組み立てることでユニット型建物が形成されるため、可能な限り組立・施行に係る作業を省略でき、容易かつ安価に建築可能なユニット型建物を提供することができる。
【図面の簡単な説明】
【００２１】
【図１】ユニット型建物の外観斜視図である。
【図２】ユニット型建物の骨組みを示す説明図である。
【図３】第１小屋ユニットの外観斜視図である。
【図４】第２小屋ユニットの外観斜視図である。
【図５】基礎ユニットの構成を示す図である。
【図６】基礎ユニットの連結部の部分拡大図である。
【図７】ユニット型建物を構成する部材を説明する図であって、（ａ）屋根仕上材の説明図（ｂ）外壁仕上材の説明図である。
【図８】ユニット型建物を構成する部材を説明する図であって、（ａ）庇部の説明図（ｂ）畳の説明図である。
【図９】分解したユニット型建物の運搬計画を示す説明図である。
【図１０】ユニット型建物を組み立てる様子を示す図であって、（ａ）基礎ユニットの配置、（ｂ）基礎ユニットの連結、（ｃ）基礎ユニットのベース部の埋め戻し、を示す説明図である。
【図１１】ユニット型建物を組み立てる様子を示す図であって、（ａ）第１小屋ユニットの接続、（ｂ）第２小屋ユニットの接続、（ｃ）屋根仕上材の配置、を示す説明図である。
【図１２】ユニット型建物を組み立てる様子を示す図であって、（ａ）外壁仕上材の設置、（ｂ）庇部の設置、を示す説明図である。
【図１３】完成したユニット型建物の断面図である。
【発明を実施するための形態】
【００２２】
本発明の実施形態について、図を参照しながら説明する。
【００２３】
本実施形態に係るユニット型建物１０は、茶室として使用されることを想定した１階建ての建物であり、図１に示すように、おおまかに言って、基礎３１と、この基礎３１の上に載置されて連結される小屋１１と、からなる。
【００２４】
小屋１１は、この小屋１１を垂直方向に分割した２つの小屋ユニット１６が組み合わされて構成されるものであり、これらの小屋ユニット１６は予め工場で製作されて施工場所に運搬される。同様に、基礎３１も、複数の基礎ユニットが組み合わされることで形成されており、この基礎ユニットも予め工場で製作されて施工場所に運搬される。そして、これらの小屋ユニット１６及び基礎ユニットが施工場所で組み立てられることで、図１に示すような建物を構成する。
【００２５】
ところで、本実施形態に係るユニット型建物１０は、図１に示すように切妻形状の屋根１２を有しており、前記した２つの小屋ユニット１６は、この切妻形状の屋根１２の棟１３に沿って小屋１１を２つに分割したものである。言い換えると、小屋１１は、２つの小屋ユニット１６を棟１３に沿って連結することで成り立っている。
【００２６】
小屋ユニット１６は、図２に示すように、第１小屋ユニット１６ａと、第２小屋ユニット１６ｂと、からなり、これらの小屋ユニット１６ａ、１６ｂは互いに対向する位置に梁２２を有している。そして、後述するように、この梁２２が結合されて小屋１１を形成している。
【００２７】
第１小屋ユニット１６ａは、図３に示すように、小屋１１を２つに分割したうちの１つとして形成され、分割面に開口１６ｃを有するように形成されている。この開口１６ｃの側部には柱２０が設けられており、この柱２０で梁２２を支えている。梁２２は、柱２０の上に横渡しされて屋根構造を支えており、具体的には、屋根構造の両側に設けられた登り梁２５を下方から支えている。この登り梁２５の上には、梁２２と平行に母屋２４が配置されており、登り梁２５でこの母屋２４を支えている。この母屋２４は、母屋２４と直交するように配置された垂木２３を下から支えており、この母屋２４で支えられた垂木２３の上方には杉板などの天井板２６が貼設され、更にその上には防水シートなどで屋根下地１７が形成されている。このため、第１小屋ユニット１６ａの上部構造は、屋根仕上材４０を設置するだけで完成するようになっている。
【００２８】
また、この第１小屋ユニット１６ａの壁は、図３に示すように、予め窓１９等が取り付けられた状態として工場で製作されるので、外壁下地１８に対して外壁仕上材４１を設置するだけで完成するようになっている。
【００２９】
また、この第１小屋ユニット１６ａの床は、図３に示すように、大引２８が、この大引２８と直交するように設けられた根太２９を下方から支えており、この根太２９の上にはベニヤ板などで床下地２１が形成されている。このため、第１小屋ユニット１６ａの床も、床下地２１の上に畳４６を設置するだけで完成するようになっている。
【００３０】
一方、小屋１１を２つに分割したうちのもう１つの小屋ユニット１６である第２小屋ユニット１６ｂは、上記した第１小屋ユニット１６ａと一体となって組み合わされるものであり、図４に示すように、第１小屋ユニット１６ａと略同じ形状で製作されている。この第２小屋ユニット１６ｂを第１小屋ユニット１６ａと比較すると、窓１９の配置・形状や内装などに差異はあるものの、柱２０や梁２２などで形成される支持構造は同一となるように形成されている。
【００３１】
これらの第１小屋ユニット１６ａ及び第２小屋ユニット１６ｂは、分割された状態で施工場所へと運搬され、施工場所において互いの開口１６ｃが重なり合うように接合されて小屋１１を形成する。このとき、互いの開口１６ｃの上部には梁２２の側面が露出しているため、第１小屋ユニット１６ａ及び第２小屋ユニット１６ｂは、互いに対向する位置に梁２２を有することとなっており、小屋１１を形成するときには、この対向する梁２２が結合されるようになっている。
【００３２】
また、この第１小屋ユニット１６ａ及び第２小屋ユニット１６ｂは、図１及び図２等に示すように、接合面の位置がずれるように配置されて結合される。すなわち、第１小屋ユニット１６ａの側から見た開口１６ｃは左寄りに設けられ、第２小屋ユニット１６ｂの側から見た開口１６ｃは右寄りに設けられているため、これら開口１６ｃが重なり合うように接合されると、第１小屋ユニット１６ａが形成する室内空間と第２小屋ユニット１６ｂが形成する室内空間とがずれることとなる。このため、実際の床面積よりも建物を大きく見せることができるようになっている。
【００３３】
ところで、図５は、これらの小屋ユニット１６の下方に設けられて、小屋ユニット１６に接続される基礎３１を構成する基礎ユニットを示す図である。
【００３４】
これらの基礎ユニットは、予め工場で製作されて施工場所に運搬されるコンクリート部材であり、図５が示すように、後述する庇部４２を支持するための独立基礎を形成する独立基礎ユニット３１ａと、小屋１１の中央部分を支持するための中央基礎ユニット３１ｂ（図１３参照）と、梁２２と平行となるように小屋ユニット１６の側面下方に配置される直線基礎ユニット３１ｃと、前記直線基礎ユニット３１ｃとほぼ直交するように配置される屈折基礎ユニット３１ｄと、からなる。
【００３５】
このうち、直線基礎ユニット３１ｃ及び屈折基礎ユニット３１ｄは、それぞれ２つずつ設けられており、これらの端部が施工場所で連結されて、ユニット型建物１０の立ち上がり基礎３１を形成する。すなわち、図２に示すように、直線基礎ユニット３１ｃと屈折基礎ユニット３１ｄとが交互に配置されるとともに、端部の連結部３６において連結されることで、小屋１１の外周に沿って基礎３１が形成される。このとき、屈折基礎ユニット３１ｄは、２つの小屋ユニット１６ａ、１６ｂに跨るように配置されており、２つの小屋ユニット１６ａ、１６ｂを接続する役割も果たしている。
【００３６】
これらの直線基礎ユニット３１ｃ及び屈折基礎ユニット３１ｄは、図６に示すように、下部に底盤をなすベース部３２と、このベース部３２に一体形成された立ち上がり部３３と、を有するように、断面が逆Ｔ字状となるように形成されている。ベース部３２は、施工場所の地盤面に埋設されて固定されるものであり、これにより地表面で上方に突出した立ち上がり部３３を支持するようになっている。
【００３７】
ここで、図６に示すように、立ち上がり部３３の側端部付近には、隣接する直線基礎ユニット３１ｃと屈折基礎ユニット３１ｄとを接続するための連結部３６が設けられており、この連結部３６によって直線基礎ユニット３１ｃと屈折基礎ユニット３１ｄとが相互に連結されるようになっている。
【００３８】
図６に示すように、この連結部３６の端部からは、異形鉄筋３４が互いに向けて双方から突出しており、ベース部３２を突き合わせたときに互いの異形鉄筋３４がオーバーラップする程度に突出している。直線基礎ユニット３１ｃと屈折基礎ユニット３１ｄとを相互に連結する際には、この異形鉄筋３４を覆うようにコンクリートを打設する。このとき、この異形鉄筋３４の先端は鉤状に曲折されて屈折部３４ａを形成しているため、この屈折部３４ａによって打設したコンクリートとの付着力が高まるように形成されている。
【００３９】
なお、これら直線基礎ユニット３１ｃ及び屈折基礎ユニット３１ｄの上端面からは、アンカーボルト３５が上方に向けて突出している。このアンカーボルト３５は、基礎３１に対して小屋ユニット１６を接続する際に使用されるものである。
【００４０】
上記したように、本実施形態に係るユニット型建物１０は、主に小屋ユニット１６と基礎ユニットとからなるが、この他にも、図７に示すような屋根仕上材４０や外壁仕上材４１、図８に示すような庇部４２や畳４６を備えている。これらの部材もそれぞれ分解して運搬可能となっているため、図９に示すように、小屋ユニット１６や基礎ユニットと一緒に運搬することができる。特に、本実施形態においては、小屋ユニット１６の幅及び高さが４ｔトラックで運搬可能な幅及び高さとなっているため、図９に示すように、４ｔトラック３台で運搬可能となっている。
【００４１】
このように分解されて施工場所へと運搬された各部材は、以下のような手順で組み立てられる。
【００４２】
すなわち、まず施工場所において予め根切りを行い、捨てコンクリートを打設する（図示せず）。そして、この捨てコンクリートの上に、図１０（ａ）に示すように、基礎ユニットを配置する。このとき、直線基礎ユニット３１ｃ及び屈折基礎ユニット３１ｄは、隣接するベース部３２が互いに当接するように配置される。
【００４３】
次に、図１０（ｂ）に示すように、連結部３６にコンクリートを打設して、隣接する直線基礎ユニット３１ｃと屈折基礎ユニット３１ｄとを互いに連結する。
【００４４】
次に、図１０（ｃ）に示すように、立ち上がり部３３が地表面に露出するように、基礎ユニットのベース部３２を埋め戻す。
【００４５】
次に、図１１（ａ）に示すように、第１小屋ユニット１６ａを基礎ユニットの上に載置して接続する。
【００４６】
次に、図１１（ｂ）に示すように、第２小屋ユニット１６ｂを基礎ユニットの上に載置して接続する。このとき、第１小屋ユニット１６ａの梁２２と第２小屋ユニット１６ｂの梁２２とが互いに結合される。すなわち、図１３に示すように、２つの梁２２には等間隔に貫通孔が形成されており、この貫通孔にこみ栓１５を打ち込むことで、２つの梁２２を結合する。
【００４７】
次に、図１１（ｃ）に示すように、屋根仕上材４０を配置する。このとき、棟１３に沿って棟板金１４を配置し、２つの小屋ユニット１６の屋根を結合する。
【００４８】
次に、図１２（ａ）に示すように、外壁仕上材４１を設置する。
【００４９】
最後に、図１２（ｂ）に示すように、庇部４４を設置し、また、建物内部においては畳４６を配置し、ユニット型建物１０が完成する。なお、庇部４４は、独立基礎ユニット３１ａの上に立設される庇柱４４と、この庇柱４４と小屋ユニット１６との間に橋架される庇支持材４５と、この庇支持材４５の上に配置される庇屋根４３と、からなる。
【００５０】
以上説明したように、本実施形態によれば、予め工場で製作されて施工場所に運搬された複数の小屋ユニット１６及び複数の基礎ユニットを組み立てることでユニット型建物１０が形成されるため、可能な限り組立・施行に係る作業を省略でき、容易かつ安価にユニット型建物１０を建築することができる。例えば、ユーザーが自分で組み立てたい場合には、部品を販売した上で組み立て指導を行うことで、ユニット型建物１０を建築することも可能である。
【００５１】
また、小屋ユニット１６の大きさを４ｔトラックで運搬可能な大きさに形成しているため、運搬も容易である。
【００５２】
また、ユニット型建物１０の床面積を１０平方メートル以内とすれば、条件によっては建築基準法上の申請をせずに増築できるため、煩雑な手続きなしに建築することができる。
【００５３】
なお、上記説明においては、小屋ユニット１６が２つの場合について説明したが、これに限らず、３つ以上の小屋ユニット１６を組み合わせて小屋１１を形成するようにしても良い。
【符号の説明】
【００５４】
１０  ユニット型建物
１１  小屋
１２  屋根
１３  棟
１４  棟板金
１５  こみ栓
１６  小屋ユニット
１６ａ  第１小屋ユニット
１６ｂ  第２小屋ユニット
１６ｃ  開口
１７  屋根下地
１８  外壁下地
１９  窓
２０  柱
２１  床下地
２２  梁
２３  垂木
２４  母屋
２５  登り梁
２６  天井板
２７  軒裏
２８  大引
２９  根太
３０  内壁
３１  基礎
３１ａ  独立基礎ユニット
３１ｂ  中央基礎ユニット
３１ｃ  直線基礎ユニット
３１ｄ  屈折基礎ユニット
３２  ベース部
３３  立ち上がり部
３４  異形鉄筋
３４ａ  屈折部
３５  アンカーボルト
３６  連結部
４０  屋根仕上材
４１  外壁仕上材
４２  庇部
４３  庇屋根
４４  庇柱
４５  庇支持材
４６  畳
【図１】
2012057346.tif 000003
【図２】
2012057346.tif 000004
【図３】
2012057346.tif 000005
【図４】
2012057346.tif 000006
【図５】
2012057346.tif 000007
【図６】
2012057346.tif 000008
【図７】
2012057346.tif 000009
【図８】
2012057346.tif 000010
【図９】
2012057346.tif 000011
【図１０】
2012057346.tif 000012
【図１１】
2012057346.tif 000013
【図１２】
2012057346.tif 000014
【図１３】
2012057346.tif 000015